(57)【特許請求の範囲】
【請求項１】
病院の大部屋において左右で隣り合うベッドの間を、前記ベッドの全長より長くなるように床に設置した積層式のブロックパネルによって仕切ると共に、前記各ベッドの頭部側も前記パネルと同様の積層式のブロックパネルを設置することにより、左右で隣合う２つのベッドの間を平面視略Ｔ状に配設された積層タイプのブロックパネルで仕切り、各ベッドの足元側に開閉可能なカーテンを配置したことを特徴とする病院の大部屋に形成した個室。
【請求項２】
前記ベッドを使用する患者の視野に入る部位の積層式のブロックパネルに平面状画面のテレビ受像機、又は、該受像機の取付支持具を設けた請求項１の病院の大部屋に形成した個室。
【請求項３】
積層式のブロックパネルは、一部のブロックパネルに光透過性のものを使用するか、又は、適宜の着色等を施したものを使用するか、若しくは、光透過性のパネルと着色等を施したブロックパネルを使用した請求項１又は２の個室。
【請求項４】
ブロックパネルには、収納機能を付与したブロックパネルを使用した請求項１又は２の個室。
【発明の詳細な説明】
【０００１】
【発明の属する技術分野】
本発明は、一般患者が入院するいわゆる大部屋を、個室に準じる仕様に簡易な手法により変更して形成したいわば準個室に関する。
【０００２】
【従来の技術】
入院設備を具備した病院には、複数の患者を収容するいわゆる大部屋と、１人の患者を収容する個室とが設けられている。大部屋では、各入院患者用のスペースを区画するため、各ベッドの周囲を囲むカーテンが備え付けられているのが一般的である。従って、大部屋で各ベッドを使用する複数の入院患者は、カーテンを介して視覚的に外部と遮断することができるが、それ以上の遮蔽効果はなく、プライバシーの十分な保護を得ることはできない。ここで、大部屋とは一般的に４人以上の患者を一部屋に入院させるようにした病院をいうが、本発明は２人以上の患者がカーテンなどのいわゆる軽間仕切乃至簡易間仕切で仕切られて個々のベッドを使用するように形成された病室にも適用できること勿論である。
【０００３】
上記のように大部屋の各ベッドの回りに配設されたカーテンでは、カーテン内の光や音が容易に外部に漏れるので、十分なプライバシーを保つことができないほか、その光や音が周囲に迷惑をかけることもあって、病院の大部屋では快適な入院生活を送ることは難しいというのが現状である。この点は、病院側がすべての大部屋を個室に改装すれば、少なくとも形式上の解決を図ることができるが、そのための工事期間や設備コストは半端なものではなく、到底現実的な解決策とはいえない。
【０００４】
上記のような問題点に鑑み、従来、ベッドとベッドの間に硬質のパネル状乃至は壁状の移動間仕切りを天井から吊下して設置したり、或は、ベッド全長の略半分程度の長さのパネル乃至壁状の間仕切りを設置したり、若しくは、壁状キャビネットなどを走行可能に天井から吊下して設けた、いわば準個室的な病室の提案が特許文献１〜３によりなされている。
【０００５】
しかし、特許文献１〜３により提案されている間仕切りを設けた準個室は、間仕切り体が天井から吊下される走行タイプであるため（特許文献１，２参照）、設置工事が大がかりになり易く、このため相当な製作コストや設置コスト、或は工期を要するなどの問題があって実用的でなく、また、固定間仕切りの設置タイプ（特許文献３）では、間仕切り体がベッド全長より短かく、また固定タイプであるため、プライバシーの確保レベルがそれ程高くできないばかりか、間仕切りパネルの延長も容易にはできないという問題がある。
【特許文献１】
特開平８−１８４２０５号公報
【特許文献２】
特開２００１−３４９０７４号公報
【特許文献３】
特開２０００−１２６２５２号公報
【０００６】
【発明が解決しようとする課題】
そこで、本発明は、上記のような従来の問題点に鑑み、大部屋においても、個室並みの良好な空間環境を容易に実現することができる簡易な設置方法によるいわば準個室を提供することを、課題とする。
【０００７】
【課題を解決するための手段】
上記課題を解決することを目的としてなされた本発明個室の構成は、病院の大部屋において左右で隣り合うベッドの間を、前記ベッドの全長より長くなるように床に設置した積層式のブロックパネルによって仕切ると共に、前記各ベッドの頭部側も前記パネルと同様の積層式のブロックパネルを設置することにより、左右で隣合う２つのベッドの間を平面視略Ｔ状に配設された積層タイプのブロックパネルで仕切り、各ベッドの足元側に開閉可能なカーテンを配置したことを特徴とするものである。
【０００８】
本発明において、積層式のブロックパネルは、一部のブロックパネルに光透過性のものを使用したり、適宜の着色等を施したもの、具体的には、いわゆる癒し系の優しい色彩（例えば、パステルカラーやアースカラー系の色）で着彩したものや風景写真や静物画などを表示した機能性のブロックパネルを使用すると、より個室感を高めることができる。
【０００９】
【発明の実施の形態】
次に本発明の実施の形態例について、図を参照しつつ説明する。図１は本発明個室の一例の平面レイアウト図、図２は図１の本発明個室の一例の鳥瞰図、図３は図１の本発明個室が設置される前の大部屋の平面レイアウト図、図４は本発明個室の管理システムの一例を説明するためのブロック図、図５は本発明個室の運営システムの一例を説明するためのブロック図である。
【００１０】
図３は病院における従来の大部屋の一例を示す平面図で、この図では大部屋Ｒの出入口ＮＸを見通す通路空間Ｆの左右に、夫々３台ずつ計６床のベッドＢが配置されている。各ベッドＢの頭部側の脇には小キャビネットＣが配置され、図には示していないが、各ベッドＢは、天井側に設けたカーテンレールに吊下されたカーテンによって隣のベッドの足側とが開閉可能に仕切られる形態であった。しかし、かかるベッドＢの配置、並びに、カーテンによる仕切り形態では、様々な問題があることは上述した通りである。
【００１１】
そこで本発明では、図３と同じ大部屋Ｒに、図１，図２に示すように４床のベッドＢを設置すると共に、各ベッドＢがあたかも個室に設置されているのと同等の空間環境を形成することにより、いわば準個室を形成するので、以下、この点について述べる。なお、Ｗはこの大部屋Ｒの窓である。
【００１２】
図３の大部屋のときは６床のベッドであったが、図１，図２に例示した個室化ではベッドＢが４床になるので、ベッド１床あたりの占有できる空間は拡大している。これは第４次医療法改正を承けたものである。本発明ではこの拡大したベッド１床あたりの空間を利用して、次のような設備器材を設置することにより、図１，図２の各ベッドＢが置かれる夫々の空間を個室化した。
【００１３】
まず、左右で並んだ２台のベッドＢ，Ｂを、それらの左右側で区画するため、両ベッドＢ，Ｂの間に、積層式のサイドパネル１による間仕切壁を形成した。このサイドパネル１は、単位大きさにモジュール化されたパネル部材、ここでは長方形状のパネル部材（以下、このパネル部材をブロックパネルという）1aの12枚を、当該ブロックパネルの長さ方向と上下方向に並べて積層することにより、左右で並んだ２台のベッドＢ，Ｂの間を、当該ベッドＢ，Ｂの全長より大きい長さで仕切るためのサイドパネル１を形成している。
【００１４】
上記サイドパネル１において、この例では下から３段目のブロックパネルは、適宜の絵や写真、或は、アースカラーの着彩などが設けられて、形成される個室内にいわゆる癒し系といわれる雰囲気をかもし出すためのカラー等が施されたブロックパネル1bが使用され、下から４段目（一番上）のブロックパネルには、乳白色など透光性のパネル面を有する透光ブロックパネル1cが少なくとも１枚使用されている。本発明において、ブロックパネル1bや1cを使用するかどうかは任意である。
【００１５】
また、上記ブロックパネル1a〜1cのうち、所要部位、例えば、ベッドＢに居る患者の手が届く、或は、視野内にある少なくとも１つのブロックパネル1a〜1cは、前面を凹棚状に窪ませて、小物置きとして機能させたり、或は、液晶画面ＤＰを設ける。本発明ではこの画面ＤＰを後付けで設けるため、選択されたブロックパネル1a〜1cには、画面取付用ブラケット（図に表われず）のみを設けた仕様もある。また、このブラケットには、伸縮変向式アームタイプのものを用い、画面ＤＰの向きや距離を変更できるようにすることが望ましい。
【００１６】
一方、左右で並んだ２台のベッドＢの頭部側には、上記ブロックパネル1a〜1cと同じ構成のブロックパネル2a〜2cを選択的に積層配置することにより頭部側パネル２が形成されている。なお、図１，図２に示した例では左右のベッドＢの頭部側パネル２の所要位置、具体的には、各ベッドＢに居る患者を検出するため人感知センサー３が配置されている。
【００１７】
上記のブロックパネル1a〜1cの積層により形成されるサイドパネル１と、同様のブロックパネル2a〜2cの積層により形成される頭部側パネル２は、左右で並んだ２台のベッドＢ，Ｂに対して、平面視大略Ｔ状に形成されることにより、本発明個室の基本的区画形態を構成する。
【００１８】
ここで、サイドパネル１と頭部側パネル２において、選択使用される所要のブロックパネル1a〜1cと同2a〜2cには、上記構成のほか、電源コンセント，電話コンセント（モジュラーコンセント）、或は、小物収納ボックスや簡易手洗いHwなどを具備したものを用い、患者の便宜を図ることができるようにすることができる。また、各ベッドＢの頭部側などの脇には、ワードローブやロッカー或はチェストなどの形態を呈する収納キャビネットCaを設備し、入院患者の便宜に資する。
【００１９】
４は、各ベッドＢの足元側に配設したカーテンレール4aに吊下されたカーテンで、このカーテン４を閉じると、各ベッドＢが配置された小空間R1〜R4（以下、本発明個室もR1〜R4の符号を用いることがある）は、あたかも独立した個室と同等の病床空間環境に演出されることとなる。なお、図２の本発明個室の鳥瞰図は、大部屋Ｒへの出入口ＮＸと窓Ｗの位置が図１との例と反転している。
【００２０】
上記のように形成される本発明個室は、一例として次のように管理され、また、運営される。
【００２１】
上記のように形成される小空間R1〜R4により大部屋に設置されることとなる本発明個室は、一例として次のような管理システムにより管理することができる。例えば、大部屋に形成された個々の準個室に患者の有無を感知する人感知センサーを設け、各センサーの動作状態を制御するコントローラと、前記センサーに得られる情報を蓄積する病院側コンピュータと、病院側コンピュータに無線又は有線で接続される管理機関のコンピュータとを配置して、病院側コンピュータに蓄積される各個室における入院患者の在室情報を、管理機関のコンピュータにインターネットなどの通信網を介して供給させ、当該管理機関のコンピュータは供給された在室情報と該情報に基づき算出される個室使用料などを含む所要データを取扱うようにするのである。なお、人感知センサーとしては、人の体温を感受して作動する赤外線センサー、或は、患者に付けたＩＣコード発信型のＩＤタグの信号を検出するセンサーなどがある。
【００２２】
上記の管理システムでは、各個室の人感知センサーのコントローラを作動させる病院側に設置したコンピュータを、管理機関のコンピュータによって作動させる。これにより、病院側では各個室に設けたセンサーのコントローラを操作，制御する必要がなくなり、人手や手間を省くことが可能になる。
【００２３】
また、上記管理システムでは、人感知センサーの作動時間を、その病院における前記個室に入院している患者の食事時間，診察時間，消灯時間などの少なくとも３回の定期的パターンで動作させることが望ましい。これにより、人感知センサーを常時動作させなくても、その個室に入院している患者が当該個室をいわゆる「一日使用」に該当する内容で使用したかどうかを判別でき、従って、その判別データは個室使用料算出データに利用することができる。なお、人感知センサーには、赤外線センサー，超音波センサー、或は、患者に付けたＩＤコード発信型のＩＣタグの信号を検出するセンサーを用いることができる。
【００２４】
更に、上記の管理システムで得られるデータを活用することにより、大部屋に設置した本発明による各個室の運営を、上記管理機関と病院外の第三者金融機関、例えば、いわゆるクレジット会社やリース会社によって行うことが可能になる。以下の説明では、第三者金融機関の一例としてのクレジット会社を、クレジット機関という。
【００２５】
まず、大部屋に設置される本発明の個室設備（個室自体）は、その個室を形成する設備，機材を用いて個室の設置施工をする業者を含む管理機関が、その設備費，施工費を勘案してクレジット機関に売却することにより、そのクレジット機関の所有物にする。
【００２６】
一方、前記個室の設置業者やその業者を含む当該個室の運営業者となる上記の管理機関、或は、クレジット機関は、現在、従来タイプの大部屋を持っている病院に対し前記個室設置の営業を展開し、病院側と合意すれば本発明個室の設置、並びに、その個室の運用についてレンタル使用契約を締結する。この契約が締結されると、前記設置業者がクレジット機関の所有物となっている本発明個室をその病院の大部屋に設置する。
【００２７】
このようにして、本発明個室の設置は、その設置業者を含み後に説明する運営機関となる管理機関が行い、大部屋に設置された当該個室は、クレジット機関の所有物として病院とクレジット機関との間でのレンタル使用契約の下で、当該病院の入院患者に提供されることとなる。この結果、病院側は本発明個室の設置に対するコスト負担はなく、また、その個室の運営も運営機関とクレジット機関によってなされるので、この面での病院側の人的，手間的負担は原則としてない。
【００２８】
以上のような管理システムの下で病院の大部屋に設置される本発明個室の運営形態としては、一例として次のような形態を採ることができる。
【００２９】
大部屋に設置された本発明個室は、当該個室の使用を希望する患者に病院から貸出される形をとるが、個室の使用申込みは、患者が直接に又は病院を通してクレジット機関に申込む。この申込みによって、当該患者による本発明個室が使用され始めると、管理機関のコンピュータでは、各個室について収集した患者の在室情報を、その患者を示すデータに紐付けして所定期間（例えば、週別や月別など），ベッド（又は個室）別に算出し、該算出データを通信網を介して前記クレジット機関に供給する。一方、病院側は前記患者の入退院証明書による個室入院日数のデータを前記クレジット機関に前記通信網を介して供給する。各データを受取ったクレジット機関では、受取データに基づいて前記患者の個室の使用日数と料金データなどの所要データを形成する。
【００３０】
この運営システムでは、管理機関から病院に提供される使用料金のデータに基づいて、病院側が前記個室を使用した患者から一日当りの個室使用料（レンタル料）×使用日数分の使用料を徴収し、その徴収金額をクレジット機関に送金することにより、クレジット機関から病院へ、患者からのレンタル料金の徴収代行手数料が支払われる。
【００３１】
上記のように、病院では個室設備の設置，管理，運用のいずれの面にも実質上タッチすることなく、本発明個室を使用した患者の申込みを受けて管理機関のコンピュータにその患者を示すデータ（患者ＩＤ）を提供すること、並びに、管理機関から供給される前記患者の個室使用による使用料金のデータをもらって患者から個室使用料を、医療費の徴収の際に一緒に徴収するだけで、何らの設備コストやその手間をかけることなく、自分の病院の大部屋を個室化し、かつ、その個室による収益を上げることが可能になる。
【００３２】
上記の管理システムと運営システムについて、図４と図５を参照して説明する。図４において、病院HPの所望の大部屋Ｒを本発明個室にした各個室R1〜R4の人感知センサー３は、各センサー３が対応した各ベッドＢに入院患者が居るかどうかを、一例として、各患者の食事時間、診察時間、消灯時間のタイミングにおいて検出する。このほか検出タイミングとしては、患者の就寝中、或は、その病院で定める消灯時から翌朝起床時までの間などの適時タイミングを選択することができる。各センサー３の動作タイミングの制御は、コントローラ５により行うが、このコントローラ５は、運営機関ともなる管理機関６のコンピュータ７により制御され、前記各センサー３が形成する信号は管理機関６のコンピュータ７に収集される。
【００３３】
図の例では、センサー３が上記の３回動作したとき、その動作のつどベッドＢに患者が居ることが検出されると、このベッドＢがある個室R1〜R4（のどれか一つ）は、一日、その患者により使用されたものとするデータが形成され、コンピュータ７に蓄積される。本発明では、センサー３の動作タイミングをどのように設定するかは、コントローラ５により随意に変更，設定することができる。また、センサー３には、赤外線センサーによる人の有無の検出のみならず、検出される人が、この個室を借りている患者か、それ以外の第三者かを検出するセンサーを併用してもよい。患者を特定して検出するセンサーとしては、患者が付けているその患者のＩＤコードを発信するように形成されたＩＣタグの信号を受信検出するタイプのものを使用する。
【００３４】
また、図４の例では、コントローラ５と管理機関６のコンピュータ７の間には、コントローラ５とＬＡＮ接続8aされた、この病院HPの事務局９などに設置されるコンピュータ８が介在し、このコンピュータ８と管理機関６のコンピュータ７とが例えば通信接続機器8bにより無線通信などに接続されるように形成されている。なお、8cはＬＡＮモデムである。これにより事務室９と管理機関６のコンピュータ８と７には、各センサー３から収集される同じ在室データが蓄積される。なお、コンピュータ７，８の接続形態は上記例に限られない。
【００３５】
本発明個室R1〜R4の運営は、一例として図５に例示したブロック図の形態において行うことができるので、以下に説明する。
【００３６】
まず、病院HPの任意の大部屋Ｒに設置される本発明の個室設備（個室自体）R1〜R4は、その個室R1〜R4を形成する設備，機材を用いて個室の設置施工をする施工業者を含む管理機関６が、個室R1〜R4の設置に要する設備費，施工費を勘案してクレジット機関10に売却する。これにより管理機関６が前記大部屋Ｒに設置した個室R1〜R4はクレジット金融機関10（以下、クレジット機関10という）の所有物となる。
【００３７】
一方、本発明個室R1〜R4の設置施工業者やその業者を含む当該個室の運営業者となる上記の管理機関６、或は、クレジット機関10は、大部屋Ｒを持つ病院HP（その病院の事務局９と同義、以下、同じ。）に対し、本発明個室R1〜R4の設置について営業を展開し、病院HP側と本発明個室R1〜R4の設置、並びに、その個室R1〜R4のレンタル使用（設置）契約が締結されると、前記管理機関６における設置業者がクレジット機関10の所有物となる本発明個室R1〜R4をその病院の大部屋Ｒに設置する。
【００３８】
このようにして、本発明個室R1〜R4の設置は、その施工業者を含み運営機関となる管理機関６が行い、設置された本発明個室R1〜R4は、クレジット機関10の所有物として病院９とクレジット機関10との間でのレンタル使用契約の下で、当該病院HPの入院患者Hmに提供されることとなるので、病院HP側は本発明個室R1〜R4の設置に対するコスト負担はなく、また、その個室R1〜R4の運営も運営機関とクレジット機関10によってなされるので、この面での病院側の人的，手間的負担は原則としてない。
【００３９】
この結果、大部屋Ｒに設置された本発明個室R1〜R4の運営形態は、一例として次のような形態を採る。
【００４０】
大部屋Ｒに設置された本発明個室R1〜R4は、それの使用を希望する患者Hmに病院HPの事務局９から貸出される。使用申込みは、患者Hmが直接に、又は、病院HPの事務局９を通してクレジット機関10に申込む。この申込みによって、当該患者Hmによる本発明個室R1〜R4（のどれか一室、以下、同じ）が使用され始めると、管理機関６のコンピュータ７では、各個室R1〜R4について収集した各患者Hmの在室情報を、その患者Hmを示すデータに紐付けして所定期間（例えば、週別や月別など），ベッド（又は個室）別に算出し、該算出データを通信網を介して前記クレジット機関10に供給する。一方、病院HPの事務局９側は各患者Hmの入退院証明書による個室入院日数のデータをそのコンピュータ８から前記クレジット機関10に前記通信接続機器8bなどを介して供給し、各データを受取ったクレジット機関10では、受取データに基づいて前記各患者Hmの個室R1〜R4の使用日数と料金データなどの所要データを形成する。
【００４１】
上記運営システムでは、管理機関６から病院事務局９のコンピュータ８に提供される使用料金のデータに基づいて病院９側が前記本発明個室R1〜R4を使用した各患者Hmから個室使用料（レンタル料）×日数の使用料を徴収し、その徴収金額をクレジット機関10に送金することにより、クレジット機関10から病院HPの事務局９に対し、患者Hmからのレンタル料金の徴収代行手数料が支払われる。
【００４２】
【発明の効果】
本発明は以上の通りであって、病院の大部屋において左右で隣り合うベッドの間を、前記ベッドの全長より長くなるように床に設置した積層式のブロックパネルによって仕切ると共に、前記各ベッドの頭部側も前記パネルと同様の積層式のブロックパネルを設置することにより、左右で隣合う２つのベッドの間を平面視略Ｔ状に配設された積層式のブロックパネルで仕切り、各ベッドの足元側に開閉可能なカーテンを配置したことにより、本発明個室に形成したから、各ベッドの置かれた空間の独立性が高く、音や光によって左右に隣接するベッド側の影響をうけることが大幅に軽減され、患者のプライバシーの高い保護を図ることができる。
【００４３】
特に、本発明では、大部屋の左右のベッドを、積層式のブロックパネルを大略Ｔ状に積層配置するだけで、個室並みの空間を形成できるので、容易かつ低コストでの準個室化を図ることができる。しかも、本発明では元の大部屋の壁（頭部側）にも積層式のブロックパネルであって、各種機能を付与したブロックパネルを選択して設置できるから、これが積層式のブロックパネルによるサイドパネルと相俟ってより高い個室感を発揮する。また、ブロックパネル単位で目的（透光や収納など）に応じた機能性のブロックパネルを用いて個室仕様の変更や設定を容易に行うことができるので、従来の個室化のための間仕切り手法では困難であった様々な個室仕様を容易に実現することができる。
【図面の簡単な説明】
【図１】  本発明個室の一例の平面レイアウト図。
【図２】  図１の本発明個室の一例の鳥瞰図。
【図３】  図１の本発明個室が設置される前の大部屋の平面レイアウト図。
【図４】  本発明個室の管理システムを説明するためのブロック図。
【図５】  本発明個室の運営システムを説明するためのブロック図。
【符号の説明】
１        サイドパネル
1a〜1c    ブロックパネル
２        頭部側パネル
2a〜2c    ブロックパネル
３        人感知センサー
４        カーテンレール
4a        カーテン
５        センターコントローラ
６        管理機関
７        管理機関のコンピュータ
８        病院事務局のコンピュータ
９        病院の事務局
10        クレジット機関
HP        病院
Ｂ        ベッド
Ｒ        病院の大部屋
RI〜R4    本発明個室
DP        液晶画面
Ｗ        窓
【図１】
0003769553.tif 000002
【図２】
0003769553.tif 000003
【図３】
0003769553.tif 000004
【図４】
0003769553.tif 000005
【図５】
0003769553.tif 000006